(57)【特許請求の範囲】
【請求項１】
容器体口頚部外面へ嵌合させた装着筒上端の内向きフランジから案内筒を起立させると共に、容器体内に垂設されたシリンダ内から上方付勢されかつ案内筒内を通り起立する作動部材上端の押下げヘッドからノズルを前方突出させ、又周壁前部に下端面開口の長割溝を縦設したカバーキャップを設けて、上記ノズルを長割溝に通し前方突出させた状態で、カバーキャップ周壁下部を上記案内筒外面へ嵌合させ、更にノズル下方の長割溝部分へ、破断部付き溝閉塞手段を付設した、カバーキャップ付きの縦形ポンプ式液体注出容器において、
上記溝閉塞手段25は、長割溝23一方側縁から第１破断部26を介して受片27を突出すると共に、該受片先端部内面から内方突出した係止突子28を、上記長割溝23他方側縁近くのカバーキャップ周壁22部分に穿設した係止孔29内へ抜出し不能に強制嵌合させ、かつ、上記係止突子28の根元付近に第２破断部30を形成して該部の破断が可能としてなり、
更に上記受片27を垂直横長の受板となし、かつ上記係止突子28の基端周囲の受板部分に上記第２破断部30を囲成したことを特徴とする液体注出容器。
【発明の詳細な説明】
【０００１】
【発明の利用分野】
本発明は、液体注出容器に関する。
【０００２】
【従来の技術】
この種容器として、例えば実開平6-85254号公報には、容器体口頚部外面へ嵌合させた装着筒上端の内向きフランジから案内筒を起立させると共に、容器体内に垂設されたシリンダ内から上方付勢されかつ案内筒内を通り起立する作動部材上端の押下げヘッドからノズルを前方突出させ、又周壁前部に下端面開口の長割溝を縦設したカバーキャップを設けて、上記ノズルを長割溝に通し前方突出させた状態で、カバーキャップ周壁下部を上記案内筒外面へ嵌合させ、更にノズル下方の長割溝部分へ、破断部付きの溝閉塞手段を付設したものが記載されている。
【０００３】
【発明の解決しようとする課題】
上記従来容器の溝閉塞手段は、長割溝の一側縁から破断部を介して受片を突出すると共に、該受板先端部分内面から突出した係止突子を、長割溝他方側縁近くのカバーキャップ周壁部分に穿設した係止孔内へ抜出し不能に係止させているため、上記破断部を破断した後にも上記係止孔から受片がぶら下った状態となり、体裁が悪かった。
【０００４】
そこで本発明は、上記の如くぶら下がった状態の受片を容易に除去可能とするために上記係止突子の根元付近の受片部分に第2の破断部を形成したこと、及び、該第2破断部が他物との接触などにより破損しないように係止突子周囲の受片部分に第2破断部を囲成したことを特徴とする液体注出容器を提供することを目的とする。
【０００５】
【課題を解決するための手段】
第1の手段は、容器体口頚部外面へ嵌合させた装着筒上端の内向きフランジから案内筒を起立させると共に、容器体内に垂設されたシリンダ内から上方付勢されかつ案内筒内を通り起立する作動部材上端の押下げヘッドからノズルを前方突出させ、又周壁前部に下端面開口の長割溝を縦設したカバーキャップを設けて、上記ノズルを長割溝に通し前方突出させた状態で、カバーキャップ周壁下部を上記案内筒外面へ嵌合させ、更にノズル下方の長割溝部分へ、破断部付き溝閉塞手段を付設した、カバーキャップ付きの縦形ポンプ式液体注出容器において、
上記溝閉塞手段25は、長割溝23一方側縁から第１破断部26を介して受片27を突出すると共に、該受片先端部内面から内方突出した係止突子28を、上記長割溝23他方側縁近くのカバーキャップ周壁22部分に穿設した係止孔29内へ抜出し不能に強制嵌合させ、かつ、上記係止突子28の根元付近に第２破断部30を形成して該部の破断が可能としてなり、
更に上記受片27を垂直横長の受板となし、かつ上記係止突子28の基端周囲の受板部分に上記第２破断部30を囲成した。
【０００８】
【発明を実施するための形態】
まず従来公知の構造について簡単に説明すると、１は容器体である。該容器体は、分解斜視図である図２に示す如く、胴部２の上部から口頚部３を起立している。該口頚部の外面下端部には、後述装着筒に対する開方向回転止め４を付設しても良い。
【０００９】
11は、注出ポンプである。該注出ポンプは公知のいわゆる縦形ポンプであって、上記口頚部３外面への螺合可能な装着筒12上端から内向きフランジ13を介して上記容器体１内へシリンダ14を垂下すると共に、上記内向きフランジ13内縁から案内筒15を起立し、かつ該筒を通って上記シリンダ14内から上方付勢状態で作動部材を起立させ、該作動部材上端の押下げヘッド16からノズル17を前方突出している。
【００１０】
21は、上記注出ポンプ上部を覆うカバーキャップである。該カバーキャップは、天板周縁から垂下する周壁22の下部を上記案内筒15外面へ嵌合させると共に、該周壁22の前壁下端から上方へ下面開口の長割溝23を縦設して、該溝の上半部内に上記ノズル17を挿通させている。
【００１１】
該ノズル下方の長割溝部分へは溝閉塞手段25を付設する。本発明にあっては、上記溝閉塞手段25を、上記長割溝23の一方側縁から第1破断部26を介して突出した受片27と、該受片先端部内面から内方突出された、先端大径の係止突子28と、上記長割溝23他方側縁近くのカバーキャップ周壁22部分に穿設した係止孔29とで形成し、該孔内へ上記係止突子の先端部を抜出し不能に強制嵌合させた。図示の第1破断部26は、長割溝23側縁と受片27基端部とを一点で連結するものとしているが、該構造は適宜変更できる。又、上記受片27は、図示のように横長帯状の受板とすることが望ましい。
【００１２】
上記係止突子28の根元部分には第2破断部30を穿設する。該第2破断部は、好適な図示例では、上記係止突子28周囲の受板部分に周設した環状破断線とし、図３の如く上記第1破断部26を破断すると受片27基端部(図左方端部)を外方へ引っ張ると、第2破断部内方の受板部分31を図４の如くカバーキャップ周壁22外面に残して破断できるように構成している。尚、該構成においては、不正操作者が第2破断部30のみを破断した後、受片27先端側の破断孔内に上記第2破断部内方受板部分31を嵌合させて、あたかも不正開封が行われていないかのように偽装することを防止するため、受板先端縁部分から第2破断部上下の各側端縁部分に亘る受板部分32を指で摘持できない程巾狭とすることが望ましい。上記第2破断部30は、肉薄破断線或いはミシン目などで形成することができる。又図示の例と異なり、上記第2破断部30は、上記受板内面と係止突子先端の大径部との間の係止突子基部28aに形成することもできる。
【００１３】
以上の構成によれば、図１状態においては、溝閉塞手段25が長割溝23下半部を閉塞することで上記ノズル17及び押下げヘッド16の下降を阻止している。
【００１４】
図１状態から、上記受片27の基端部を摘んで第1破断部26を破断させ、更に前方側へ引っ張ると図３に示す如く第2破断部30が図左側から裂け、そうして図４に示す如く第2破断部内受板部分31を除いて全ての受片27が容器体１から除去される。
【００１５】
該除去後カバーキャップ21を外して押下げヘッド16を押し下げると、ノズル17から液体が注出される。該注出後上記カバーキャップ21を再嵌合すると図４状態に戻るのでこの状態で保管することができる。
【００１６】
【発明の効果】
本発明は既述構成のものであり、請求項１の発明によれば、溝閉塞手段25は、長割溝23一方側縁に第1破断部26を、又、上記係止突子28の根元付近に第2破断部30をそれぞれ形成したから、第1破断部26に引き続いて第2破断部30を破断させることで、カバーキャップ21から受片27をほぼ完全に除去することができ、該受片が係止孔29からぶら下って容器の外観を損なうことがない。
【００１７】
又、請求項１の発明によれば、上記第2破断部30は、上記係止突子28周囲の受板部分に囲成したから、係止突子28の基部を第2破断部とした場合の如く、溝閉塞手段25と他物とが接触したときに該接触による応力が一点集中することがないので、第2破断部30が意に反して破断する虞が少ない。
【図面の簡単な説明】
【図１】  本発明に係る容器の斜視図である。
【図２】  図１容器の分解斜視図である。
【図３】  図１容器の開封途中の状態説明図である。
【図４】  図１容器の開封後の状態説明図である。
【符号の説明】
１…容器体  ２…胴部  ３…口頚部  ４…回転止め
11…注出ポンプ  12…装着筒  13…内向きフランジ  14…シリンダ
15…案内筒    16…押下げヘッド  17…ノズル
21…カバーキャップ  22…周壁  23…長割溝
25…溝閉塞手段  26…第1破断部  27…受片  28…係止突子  28a…同基部
29…係止孔  30…第2破断部  31…第2破断部内受板部分
32…先端から第2破断部上下の各側端に亘る受板部分
【図１】
0003916045.tif 000002
【図２】
0003916045.tif 000003
【図３】
0003916045.tif 000004
【図４】
0003916045.tif 000005